(57)【特許請求の範囲】
【請求項１】
受信信号の希望チャンネル周波数よりチャネル周波数間隔の２分の１だけ低い周波数の信号を出力する第１の局部信号源と、
前記受信信号と前記第１の局部信号源の出力を入力し前記受信信号成分のうち前記第１の局部信号源周波数より低い周波数成分を抑圧し前記受信信号のうち前記第１の局部信号源周波数より高い周波数成分を第１の中間周波数信号に変換して出力する第１のイメージリジェクションミキサと、
前記チャネル周波数間隔と同じ周波数の信号を出力する第２の局部信号源と、
前記第１の中間周波数信号と前記第２の局部信号源の出力を入力し前記第１の中間周波数信号のうち前記第２の局部信号源周波数より高い周波数成分を抑圧し前記第１の中間周波数信号のうち前記第２の局部信号源周波数より低い周波数成分を第２の中間周波数信号に変換して出力する第２のイメージリジェクションミキサと、
前記第２の中間周波数信号と前記第２の局部信号源の出力を入力し前記第２の中間周波数信号のうち前記第２の局部信号源周波数より高い周波数成分を抑圧し前記第２の中間周波数信号のうち前記第２の局部信号源周波数より低い周波数成分を第３の中間周波数信号に変換して出力する第３のイメージリジェクションミキサと、
前記第３の中間周波数信号と前記第２の局部信号源の出力を入力し前記第３の中間周波数信号のうち前記第２の局部信号源周波数より高い周波数成分を抑圧し前記第３の中間周波数信号のうち前記第２の局部信号源周波数より低い周波数成分を第４の中間周波数信号に変換して出力する第４のイメージリジェクションミキサとを備え、
前記第２のイメージリジェクションミキサ、第３のイメージリジェクションミキサ及び第４のイメージリジェクションミキサは、前記第２の局部信号源の出力を入力することを特徴とするチャネル選択フィルタ。
【請求項２】
受信信号の希望チャンネル周波数よりチャネル周波数間隔の２分の１だけ高い周波数の信号を出力する第１の局部信号源と、
前記受信信号と前記第１の局部信号源の出力を入力し前記受信信号成分のうち前記第１の局部信号源周波数より高い周波数成分を抑圧し前記受信信号のうち前記第１の局部信号源周波数より低い周波数成分を第１の中間周波数信号に変換して出力する第１のイメージリジェクションミキサと、
前記チャネル周波数間隔と同じ周波数の信号を出力する第２の局部信号源と、
前記第１の中間周波数信号と前記第２の局部信号源の出力を入力し前記第１の中間周波数信号のうち前記第２の局部信号源周波数より高い周波数成分を抑圧し前記第１の中間周波数信号のうち前記第２の局部信号源周波数より低い周波数成分を第２の中間周波数信号に変換して出力する第２のイメージリジェクションミキサと、
前記第２の中間周波数信号と前記第２の局部信号源の出力を入力し前記第２の中間周波数信号のうち前記第２の局部信号源周波数より高い周波数成分を抑圧し前記第２の中間周波数信号のうち前記第２の局部信号源周波数より低い周波数成分を第３の中間周波数信号に変換して出力する第３のイメージリジェクションミキサと、
前記第３の中間周波数信号と前記第２の局部信号源の出力を入力し前記第３の中間周波数信号のうち前記第２の局部信号源周波数より高い周波数成分を抑圧し前記第３の中間周波数信号のうち前記第２の局部信号源周波数より低い周波数成分を第４の中間周波数信号に変換して出力する第４のイメージリジェクションミキサとを備え、
前記第２のイメージリジェクションミキサ、第３のイメージリジェクションミキサ及び第４のイメージリジェクションミキサは、前記第２の局部信号源の出力を入力することを特徴とするチャネル選択フィルタ。
【請求項３】
請求項１または２記載のチャネル選択フィルタと、前記チャネル選択フィルタの出力を入力し復調を行う復調回路を備えた受信機。
【請求項４】
第１のイメージリジェクションミキサの前段に受信信号を前記受信信号周波数より低い周波数である前置周波数信号に変換する前置ミキサを備え、前記受信信号の代わりに前記全治周波数信号を前記第１のイメージリジェクションミキサに入力する請求項３に記載の受信機。
【請求項５】
第１のイメージリジェクションミキサの前段に受信信号を前記受信信号周波数より低い周波数である前置周波数信号に変換する前置ミキサを備え、前記受信信号の代りに前期前置周波数信号を前記第１のイメージリジェクションミキサに入力する請求項１または２記載のチャンネル選択フィルタ。
【発明の詳細な説明】
【０００１】
【発明の属する技術分野】
本発明は、主としてコードレスリモコン、ページャ、コードレス電話、携帯電話等の無線通信機器に用いられるチャンネル選択フィルタおよび前記チャンネル選択フィルタを用いて構成される受信機に関する。
【０００２】
【従来の技術】
従来のチャンネル選択ミキサおよび受信機について図面を参照しながら説明する。図８は、従来の受信機の構成を示すブロック図である。
【０００３】
図８において、５は第１の局部信号源、６は第２の局部信号源、２１はアンテナ、２２はアンプ、２３は復調回路、２４は復調出力端子、３１は高周波フィルタ、４１は中間周波数フィルタ、４２はチャネル選択フィルタ、４３は第１のミキサ、４４は第２のミキサである。図８の受信機はダブルスーパーヘテロダイン方式の構成を示している。アンテナに入力した受信信号は、高周波フィルタ３１に入力され不要周波数成分を除去される。ここで、第１のミキサ４３で周波数変換するときのイメージ周波数成分が除去される。高周波フィルタ３１の出力は、アンプ２２で増幅される。アンプ２２の出力と第１の局部信号源５の出力が第１のミキサ４３でミキシングされ、第１の中間周波数信号に変換される。第１の中間周波数信号は、中間周波数フィルタ４１で第２のミキサ４４でのミキシング時のイメージ周波数成分が除去される。中間周波数フィルタ４１の出力と第２の局部信号源６の出力が第２のミキサ４４でミキシングされ、第２の中間周波数信号に変換される。第２の中間周波数信号は、チャネル選択フィルタ４２に入力され、受信チャネル成分以外の不要な成分が除去される。ここでチャネル選択フィルタ４２には、セラミックフィルタや水晶フィルタなどの受動素子や、トランジスタなどの能動素子を用いて構成したｇ−ｍｃフィルタなどが用いられる。チャネル選択フィルタ４２の出力が復調回路２３に入力され、復調出力が復調出力端子２４より出力される。
【０００４】
【発明が解決しようとする課題】
しかしながら、前記従来のチャネル選択フィルタでは、小型化や省電力化に問題があった。すなわち、セラミックフィルタなど受動素子のフィルタでは、集積化が困難であるため小型化が難しかった。また、能動素子を用いてｇ―ｍｃフィルタなどを構成した場合、急峻で減衰量の大きなフィルタ特性を実現するためには消費電流が大きくなるという問題があった。また、素子数が多くなり、半導体ＩＣに集積化しても、チップサイズが大きくなり、コストが高くなる要因となっていた。
【０００５】
そして、上記のようなチャネル選択フィルタを用いた受信機は、小型化が困難であるという問題があった。また、消費電流が大きく、コストが高いという問題があった。
【０００６】
【課題を解決するための手段】
前記従来の課題を解決するために、本発明のチャネル選択フィルタは、受信信号の希望チャンネル周波数よりチャネル周波数間隔の２分の１だけ低い周波数の信号を出力する第１の局部信号源と、前記受信信号と前記第１の局部信号源の出力を入力し前記受信信号成分のうち前記第１の局部信号源周波数より低い周波数成分を抑圧し前記受信信号のうち前記第１の局部信号源周波数より高い周波数成分を第１の中間周波数信号に変換して出力する第１のイメージリジェクションミキサと、前記チャネル周波数間隔と同じ周波数の信号を出力する第２の局部信号源と、前記第１の中間周波数信号と前記第２の局部信号源の出力を入力し前記第１の中間周波数信号のうち前記第２の局部信号源周波数より高い周波数成分を抑圧し前記第１の中間周波数信号のうち前記第２の局部信号源周波数より低い周波数成分を第２の中間周波数信号に変換して出力する第２のイメージリジェクションミキサを備えたものである。
【０００７】
これによって、大幅に回路規模を低減することができ、消費電流が低減できる。また、半導体ＩＣで構成した場合にチップサイズを小さくすることができるため低コスト化を実現できる。
【０００８】
【発明の実施の形態】
請求項１記載の発明は、受信信号の希望チャンネル周波数よりチャネル周波数間隔の２分の１だけ低い周波数の信号を出力する第１の局部信号源と、前記受信信号と前記第１の局部信号源の出力を入力し前記受信信号成分のうち前記第１の局部信号源周波数より低い周波数成分を抑圧し前記受信信号のうち前記第１の局部信号源周波数より高い周波数成分を第１の中間周波数信号に変換して出力する第１のイメージリジェクションミキサと、前記チャネル周波数間隔と同じ周波数の信号を出力する第２の局部信号源と、前記第１の中間周波数信号と前記第２の局部信号源の出力を入力し前記第１の中間周波数信号のうち前記第２の局部信号源周波数より高い周波数成分を抑圧し前記第１の中間周波数信号のうち前記第２の局部信号源周波数より低い周波数成分を第２の中間周波数信号に変換して出力する第２のイメージリジェクションミキサと、前記第２の中間周波数信号と前記第２の局部信号源の出力を入力し前記第２の中間周波数信号のうち前記第２の局部信号源周波数より高い周波数成分を抑圧し前記第２の中間周波数信号のうち前記第２の局部信号源周波数より低い周波数成分を第３の中間周波数信号に変換して出力する第３のイメージリジェクションミキサと、前記第３の中間周波数信号と前記第２の局部信号源の出力を入力し前記第３の中間周波数信号のうち前記第２の局部信号源周波数より高い周波数成分を抑圧し前記第３の中間周波数信号のうち前記第２の局部信号源周波数より低い周波数成分を第４の中間周波数信号に変換して出力する第４のイメージリジェクションミキサとを備え、前記第２のイメージリジェクションミキサ、第３のイメージリジェクションミキサ及び第４のイメージリジェクションミキサは、前記第２の局部信号源の出力を入力することを特徴とするものである。これによれば、イメージリジェクションミキサの段数を増やすことにより、チャネル選択フィルタの帯域外減衰量を大きくすることができる。
【０００９】
また請求項２記載の発明は、受信信号の希望チャンネル周波数よりチャネル周波数間隔の２分の１だけ高い周波数の信号を出力する第１の局部信号源と、前記受信信号と前記第１の局部信号源の出力を入力し前記受信信号成分のうち前記第１の局部信号源周波数より高い周波数成分を抑圧し前記受信信号のうち前記第１の局部信号源周波数より低い周波数成分を第１の中間周波数信号に変換して出力する第１のイメージリジェクションミキサと、前記チャネル周波数間隔と同じ周波数の信号を出力する第２の局部信号源と、前記第１の中間周波数信号と前記第２の局部信号源の出力を入力し前記第１の中間周波数信号のうち前記第２の局部信号源周波数より高い周波数成分を抑圧し前記第１の中間周波数信号のうち前記第２の局部信号源周波数より低い周波数成分を第２の中間周波数信号に変換して出力する第２のイメージリジェクションミキサと、前記第２の中間周波数信号と前記第２の局部信号源の出力を入力し前記第２の中間周波数信号のうち前記第２の局部信号源周波数より高い周波数成分を抑圧し前記第２の中間周波数信号のうち前記第２の局部信号源周波数より低い周波数成分を第３の中間周波数信号に変換して出力する第３のイメージリジェクションミキサと、前記第３の中間周波数信号と前記第２の局部信号源の出力を入力し前記第３の中間周波数信号のうち前記第２の局部信号源周波数より高い周波数成分を抑圧し前記第３の中間周波数信号のうち前記第２の局部信号源周波数より低い周波数成分を第４の中間周波数信号に変換して出力する第４のイメージリジェクションミキサとを備え、前記第２のイメージリジェクションミキサ、第３のイメージリジェクションミキサ及び第４のイメージリジェクションミキサは、前記第２の局部信号源の出力を入力することを特徴とするものである。これによれば、イメージリジェクションミキサの段数を増やすことにより、チャネル選択フィルタの帯域外減衰量を大きくすることができる。
【００１１】
また請求項３記載の発明は、請求項１または２記載のチャネル選択フィルタと、前記チャネル選択フィルタの出力を入力し復調を行う復調回路を備えた受信機である。そして、イメージリジェクションミキサでチャネル選択フィルタを構成していることにより、チャンネル選択フィルタを低消費電流で小型に構成でき、高周波フィルタや中間周波数フィルタも不要となるため、機器の大幅な小型化と低コスト化を実現できる。
【００１２】
また請求項４、５記載の発明は、第１のイメージリジェクションミキサの前段に受信信号を前記受信信号周波数より低い周波数である前置周波数信号に変換する前置ミキサを備え、前記受信信号の代りに前期前置周波数信号を前記第１のイメージリジェクションミキサに入力するチャンネル選択フィルタまたは受信機である。そして、予め受信信号の周波数を低い周波数に変換することにより、イメージリジェクションミキサの精度を出しやすく、チャネル選択フィルタとしての減衰量を大きくしやすい。また、消費電流を抑えることができる。
【００１３】
【実施例】
以下、図面を参照して本発明の実施例について説明する。
【００１４】
（実施例１）
図１は、本発明による実施例１のチャネル選択フィルタの構成を示すブロック図である。また、図２は本発明の構成要素であるイメージリジェクションミキサの構成をしめすブロック図である。また、図３は、本発明のチャネル選択フィルタの出力信号の周波数特性を示すグラフである。図１から３を用いて本実施例のチャネル選択フィルタについて説明する。
【００１５】
図１において、１は入力端子、２は出力端子、３は第１のイメージリジェクションフィルタ、４は第２のイメージリジェクションフィルタ、５は第１の局部信号源、６は第２の局部信号源である。
【００１６】
図２において、１１は受信信号入力端子、１２は中間周波数信号出力端子、１３は局部信号入力端子、１４はミキサ、１５は＋９０度移相器、１６は＋４５度移相器、１７は−４５度移相器、１８は加算器である。
【００１７】
まず、図２のイメージリジェクションミキサの動作について説明する。受信信号入力端子１１に入力された受信信号は分岐されて２つのミキサ１４に入力される。また、局部信号入力端子１３に入力された局部信号は、分岐されて前記２つのミキサ１４に入力される。ここで、局部信号入力端子１３に入力される局部信号源の周波数は、前記受信信号の希望チャンネル周波数よりチャネル周波数間隔の２分の１だけ低く設定されている。チャネル周波数間隔は、使用する周波数帯により予め決められており、チャネルが配置される周波数間隔である。例えば、日本の４００MHz帯の小電力無線では、チャネル周波数間隔は１２．５kHzに決められている。この場合、局部信号源の周波数は、希望チャネル周波数より６．２５kHz低く設定される。以下は、この小電力無線の場合を例にして説明する。
【００１８】
２つのミキサ１４に入力される局部信号は片方の経路に＋９０度移相器１５が挿入されているため互いに９０度位相差をもっている。
【００１９】
２つのミキサ１４でそれぞれ受信信号と局部信号がミキシングされ、変換された信号が出力される。前記変換された信号の一方は＋４５度位相器１６を経由して加算器１８に入力される。他方は−４５度位相器１７を経由して前記加算器１８に入力される。上記２信号を加算した信号が中間周波数信号出力端子１２より出力される。
【００２０】
上記の構成のイメージリジェクションミキサでは、互いに直交した局部信号が２つのミキサ１４に入力されるため、前記２つのミキサ１４の出力信号も互いに直交している。そして、＋４５度移相器１６と−４５度移相器１７により相対位相をさらに９０度回している。ここで、受信信号のうち局部信号源周波数より高い周波数の成分は、２つのミキサ１４の出力で互いに同位相となるため加算器１８で加算される。また、受信信号のうち局部信号源周波数より低い周波数の成分は、２つのミキサ１４の出力で互いに逆位相となるため加算器１８で打ち消し合い抑圧される。
【００２１】
また、上記の説明では加算器を用いたが、減算器を用いることにより抑圧する周波数を変えることができる。すなわち、減算器を用いれば、受信信号のうち局部信号源周波数より高い周波数の成分は、２つのミキサの出力で互いに同位相となるため打ち消し合い抑圧される。また、受信信号のうち局部信号源周波数より低い周波数の成分は、２つのミキサの出力で互いに逆位相となるため加算される。このように加算器または減算器を用いることで、受信信号のうち局部信号源周波数より高い周波数の成分を抑圧するか、低い周波数の成分を抑圧するかを選ぶことができる。
【００２２】
次に、図１を用いてチャネル選択フィルタについて説明する。
【００２３】
受信信号入力端子１に入力された受信信号と第１の局部信号源６の出力が、第１のイメージリジェクションミキサ３に入力される。ここで、第１のイメージリジェクションフィルタ３の構成は、図２に示したものである。そして、第１の局部信号源５の周波数は、希望チャネル周波数よりチャネル周波数間隔の２分の１だけ低く設定されている。そのため、第１のイメージリジェクションミキサ３の出力には、受信信号のうち第１の局部信号源周波数より高い周波数成分が第１の中間周波数信号として出力され、第１の局部信号源周波数より低い周波数成分は抑圧される。
【００２４】
この時、第１の中間周波数信号の６．２５kHzを中心周波数として、希望チャンネルの信号成分がある。
【００２５】
次に、第１の中間周波数信号と第２の局部信号源の出力が第２のイメージリジェクションミキサ４に入力される。ここで、第２のイメージリジェクションミキサ４は、図２に示す構成のものである。第２の局部信号源６の周波数は、チャネル周波数間隔と同じ１２．５kHzに設定されている。そのため、希望チャンネルの信号成分は、再び６．２５kHzを中心とした信号である第２の中間周波数信号に変換される。そして、第１の中間周波数信号のうち第２の局部信号源周波数６より低い周波数成分が加算器で加算されて出力され、第２の局部信号源周波数６より高い周波数成分が抑圧される。
【００２６】
図３に、出力端子２に出力される信号振幅の周波数特性を示す。図３の横軸は周波数、縦軸は希望チャネルの出力信号振幅を基準にした各周波数の出力振幅である。図３でＡで示した帯域は、希望チャネルの帯域である。また、Ｂの帯域は、第１のイメージリジェクションミキサで抑圧された成分である。また、Ｃの帯域は第２のイメージリジェクションミキサで抑圧された成分である。このように、希望チャネル成分の両側の周波数成分が抑圧され、チャネル選択フィルタの特性となっている。
【００２７】
図３では、抑圧量は３０ｄＢとなっているが、抑圧量は、第１および第２のイメージリジェクションミキサの精度で決まる。
【００２８】
上記の実施例では、第１の局部信号の周波数が希望チャネル周波数より低い場合を示したが、受信周波数より高い周波数に設定する構成をとることができる。すなわち、第１の局部信号源の周波数が、希望チャンネル周波数より、チャネル周波数間隔の２分の１だけ高く設定される。この構成では、第１のイメージリジェクションミキサの加算器の代わりに減算器を用いる。これにより、受信信号のうち第１の局部信号源周波数より低い周波数成分が第１の中間周波数信号として出力され、第１の局部信号源周波数より高い周波数成分は抑圧される。
【００２９】
従来のｇ−ｍｃフィルタを用いて急峻な減衰特を得るためには、高次のフィルタを構成する必要があり、回路規模が非常に大きくなる。本実施例のように、イメージリジェクションミキサを２段に構成してバンドパスフィルタの特性を得ることにより、少ない素子数で構成でき、大幅に回路規模を低減することができる。そして消費電流を低減する事が出来る。そのため、半導体ＩＣで構成した場合にチップサイズを小さくすることができるため低コスト化を実現できるというメリットがある。
【００３０】
（実施例２）
図４は、本発明の実施例２のチャネル選択フィルタの構成を示すブロック図である。図４において、７は第３のイメージリジェクションミキサ、８は第４のイメージリジェクションミキサである。また、図１と同じ構成要素に同一の番号を付けて示した。また、図５は、本発明のチャネル選択フィルタの出力信号の周波数特性を示すグラフである。図４および図５を用いて本実施例のチャネル選択フィルタについて説明する。
【００３１】
本実施例と上記の実施例１の違いは、第３および第４のイメージリジェクションフィルタを用いることにより、希望チャネル周波数以外の周波数の減衰量を大きくしたことである。すなわち、第１および第２のイメージリジェクションミキサまでの構成は、実施例２と同様な動作である。本実施例では、第２のイメージリジェクションミキサ４の後段に第３のイメージリジェクションミキサ７を配置している。第３のイメージリジェクションミキサ７に第２のイメージリジェクションミキサ４の出力と第２の局部信号源６の出力が入力される。第３のイメージリジェクションミキサ７の動きは前記実施例１で述べた第２イメージリジェクションミキサ４と同様である。さらに第３のイメージリジェクションミキサ７の出力である第３の中間周波数信号と第２の局部信号源の出力が第４のイメージリジェクションミキサ８に入力される。第４のイメージリジェクションミキサ８の動きも第２および第３のイメージリジェクションミキサと同様である。第４のイメージリジェクションミキサ８の出力として第４の中間周波数信号が得られる。
【００３２】
図５に、出力端子２に出力される信号振幅の周波数特性を示す。
【００３３】
図５でＡで示した帯域は、希望チャネルの帯域である。また、Ｂは、第１のイメージリジェクションミキサで抑圧された成分である。また、Ｃは第２のイメージリジェクションミキサで抑圧された成分である。また、Ｄは第３のイメージリジェクションミキサで抑圧された成分である。また、Ｅは第４のイメージリジェクションミキサで抑圧された成分である。このように、第３および第４のイメージリジェクションミキサを設けることにより、隣々接チャンネル以上離れたチャネル周波数の成分の減衰量を大きくできる。図５では、隣接チャネルの減衰量が３０ｄＢ、隣々接チャネル以上の減衰が６０ｄＢとなっている。ここで、減衰量は各イメージリジェクションミキサの位相および振幅の精度で決まる。
【００３４】
本実施例でも前記実施例１と同様に、第１の局部信号源周波数を希望チャネル周波数より低くあるいは高く設定して構成することができる。低く設定したときの第１のイメージリジェクションミキサには加算器、高く設定したときの第１のイメージリジェクションミキサには減算器を用いる。
【００３５】
このように、イメージリジェクションミキサを４段にして構成したことにより、チャネル選択フィルタの帯域外減衰量を大きくすることができる。
【００３６】
尚、本実施例ではイメージリジェクションミキサの段数は４段としたが、５段以上とすることにより、さらに減衰量を大きくすることができる。
【００３７】
（実施例３）
図６は、本発明による実施例３の受信機の構成を示すブロック図である。図６において、２１はアンテナ、２２はアンプ、２３は復調回路、２４は復調出力端子である。また、図１〜図４と同じ構成要素に同一の番号を付けて示した。
【００３８】
アンテナ２１に入力した受信信号は、アンプ２２で増幅される。アンプ２２の出力と第１の局部信号源５の出力が第１のイメージリジェクションミキサ３に入力される。そして、第１のイメージリジェクションミキサ３の出力である第１の中間周波数信号と第２の局部信号源の出力が第２のイメージリジェクションミキサ４に入力される。ここで、第１および第２の局部信号源５，６の周波数は、前記実施例１および実施例２と同様に設定される。そして、第２のイメージリジェクションミキサ４の出力である第２の中間周波数信号が復調回路２３に入力され、復調出力が復調出力端子２４より出力される。
【００３９】
このように、本実施例の受信機では、チャンネル選択フィルタを低消費電流で小型に構成できるのに加え、従来の受信機でイメージ除去のために用いられていた高周波フィルタや中間周波数フィルタが不要となるため、機器の大幅な小型化と低コスト化を実現することができる。
【００４０】
（実施例４）
図７は、本発明による実施例４の受信機の構成を示すブロック図である。図７において、３１は高周波フィルタ、３２は前置ミキサ、３３は前置局部信号源である。また、図６と同じ構成要素に同一の番号を付けて示した。
【００４１】
本実施例と実施例３との違いは、前置ミキサ３２を設けたことにある。高周波アンプ２２と第１のイメージリジェクションミキサ３の間に前置ミキサ３２を設けて、受信信号を、例えば受信信号の周波数が４００MHz帯の場合には、２０MHzといった比較的周波数の低い前置周波数に変換している。ここで、前置ミキサ３２でのイメージ周波数成分を除去するために高周波フィルタ３１が高周波アンプ２２の前段に設けられている。
【００４２】
このように予め比較的低い周波数に変換してから第１のイメージリジェクションミキサ３へ入力しているのは、周波数が低い方が信号の位相および振幅の精度を上げやすいからである。そのためチャネル選択フィルタとしての減衰量を大きくしやすいという利点がある。また、高周波で動作するイメージリジェクションミキサを構成した場合、消費電流が大きくなる傾向にあるが、単純な構成の前置ミキサを用いることにより、消費電流を抑えることができる。
【００４３】
【発明の効果】
以上の説明から明らかなように本発明のチャネル選択フィルタによれば、次の効果が得られる。
【００４４】
受信信号の希望チャンネル周波数よりチャネル周波数間隔の２分の１だけ低い周波数の信号を出力する第１の局部信号源と、前記受信信号と前記第１の局部信号源の出力を入力し前記受信信号成分のうち前記第１の局部信号源周波数より低い周波数成分を抑圧し前記受信信号のうち前記第１の局部信号源周波数より高い周波数成分を第１の中間周波数信号に変換して出力する第１のイメージリジェクションミキサと、前記チャネル周波数間隔と同じ周波数の信号を出力する第２の局部信号源と、前記第１の中間周波数信号と前記第２の局部信号源の出力を入力し前記第１の中間周波数信号のうち前記第２の局部信号源周波数より高い周波数成分を抑圧し前記第１の中間周波数信号のうち前記第２の局部信号源周波数より低い周波数成分を第２の中間周波数信号に変換して出力する第２のイメージリジェクションミキサを備えているため、従来のｇ−ｍｃフィルタなどを用いる場合より大幅に回路規模を低減することができ、消費電流が低減できる。また、半導体ＩＣで構成した場合にチップサイズを小さくすることができるため低コスト化を実現できるという効果がある。
【００４５】
また、第２の中間周波数信号と第２の局部信号源の出力を入力し第２の中間周波数信号のうち前記第２の局部信号源周波数より高い周波数成分を抑圧し前記第２の中間周波数信号のうち前記第２の局部信号源周波数より低い周波数成分を第３の中間周波数信号に変換して出力する第３のイメージリジェクションミキサと、前記第３の中間周波数信号と前記第２の局部信号源の出力を入力し前記第３の中間周波数信号のうち前記第２の局部信号源周波数より高い周波数成分を抑圧し前記第３の中間周波数信号のうち前記第２の局部信号源周波数より低い周波数成分を第４の中間周波数信号に変換して出力する第４のイメージリジェクションミキサを備えているため、チャネル選択フィルタの帯域外減衰量を大きくすることができるという効果がある。また、イメージリジェクションミキサの段数を５段以上とすることにより、さらに減衰量を大きくすることができるという効果がある。
【００４６】
また、本発明の受信機によれば、次の効果が得られる。
【００４７】
受信信号の希望チャンネル周波数よりチャネル周波数間隔の２分の１だけ低い周波数を出力する第１の局部信号源と、前記受信信号と前記第１の局部信号源の出力を入力し前記受信信号成分のうち前記第１の局部信号源周波数より低い周波数成分を抑圧し前記受信信号のうち前記第１の局部信号源周波数より高い周波数成分を第１の中間周波数信号に変換して出力する第１のイメージリジェクションミキサと、前記チャネル周波数間隔と同じ周波数を出力する第２の局部信号源と、前記第１の中間周波数信号と前記第２の局部信号源の出力を入力し前記第１の中間周波数信号のうち前記第２の局部信号源周波数より高い周波数成分を抑圧し前記第１の中間周波数信号のうち前記第２の局部信号源周波数より低い周波数成分を第２の中間周波数信号に変換して出力する第２のイメージリジェクションミキサと、前記第２のイメージリジェクションミキサの出力を入力し復調を行う復調回路を備えているため、チャンネル選択フィルタ部を低消費電流で小型に構成できるのに加え、イメージ除去のための高周波フィルタや中間周波数フィルタが不要となるため、機器の大幅な小型化と低コスト化を実現できるという効果がある。
【００４８】
また、第１のイメージリジェクションミキサの前段に受信信号を前記受信信号周波数より低い周波数である前置周波数信号に変換する前置ミキサを備え、前記受信信号の代りに前期前置周波数信号を前記第１のイメージリジェクションミキサに入力するため、チャネル選択フィルタとしての減衰量を大きくできるという効果がある。また、高周波部に単純な構成の前置ミキサを用いるので、消費電流を抑えることができるという効果がある。
【図面の簡単な説明】
【図１】本発明の実施例１におけるチャンネル選択フィルタのブロック図
【図２】本発明の実施例１におけるイメージリジェクションミキサのブロック図
【図３】本発明の実施例１におけるイメージリジェクションミキサの出力振幅の周波数特性を示すグラフ
【図４】本発明の実施例２におけるチャンネル選択フィルタのブロック図
【図５】本発明の実施例２におけるイメージリジェクションミキサの出力振幅の周波数特性を示すグラフ
【図６】本発明の実施例３における受信機のブロック図
【図７】本発明の実施例４における受信機のブロック図
【図８】従来の受信機のブロック図
【符号の説明】
３  第１のイメージリジェクションミキサ
４  第２のイメージリジェクションミキサ
５  第１の局部信号源
６  第２の局部信号源
７  第３のイメージリジェクションミキサ
８  第４のイメージリジェクションミキサ
１４  ミキサ
１５  ＋９０度移相器
１６  ＋４５度移相器
１７  −４５度移相器
１８  加算器
２２  高周波アンプ
２３  復調回路
【図１】
0004432235.tif 000002
【図２】
0004432235.tif 000003
【図３】
0004432235.tif 000004
【図４】
0004432235.tif 000005
【図５】
0004432235.tif 000006
【図６】
0004432235.tif 000007
【図７】
0004432235.tif 000008
【図８】
0004432235.tif 000009